(57)【要約】【課題】スピーカグリル部形成箇所を目立たなくして、外観見栄えの良い内装パネルを提供する。【解決手段】スピーカグリル部９が一体に形成されたパネル基材３表面に表皮材５を貼着して表皮材５でスピーカグリル部９を覆う。複数個の細長い透音長孔１１をパネル基材３裏面に貫通するように、かつスピーカグリル部９を横切るようにスピーカグリル部９のパネル基材３に並列に形成する。透音長孔１１に連続する複数個の細長い連続長溝部１３、及び透音長孔と不連続な複数個の細長い不連続長溝部をスピーカグリル部９を除く領域のパネル基材３に並列に形成する。【選択図】図１
2009073442.tif 000002
【特許請求の範囲】
【請求項１】
スピーカグリル部がパネル基材に一体に形成され、該パネル基材表面に表皮材が上記スピーカグリル部を覆うように貼着されたスピーカグリル部付き内装パネルであって、
上記スピーカグリル部のパネル基材には、複数個の細長い透音長孔がパネル基材裏面に貫通するように、かつスピーカグリル部を横切るように並列に形成され、
上記スピーカグリル部を除く領域のパネル基材には、上記透音長孔に連続する複数個の細長い連続長溝部、及び上記透音長孔と不連続な複数個の細長い不連続長溝部が並列に形成されていることを特徴とするスピーカグリル部付き内装パネル。
【請求項２】
請求項１に記載のスピーカグリル部付き内装パネルにおいて、
表皮材は、スピーカグリル部の透音長孔に対応するように形成された長孔を有する両面接着シートを介してパネル基材表面に貼着され、
不連続長溝部の底面には、通気細孔がパネル基材裏面に貫通するように形成されていることを特徴とするスピーカグリル部付き内装パネル。
【請求項３】
スピーカグリル部がパネル基材に一体に形成され、該パネル基材表面に表皮材が上記スピーカグリル部を覆うように貼着されたスピーカグリル部付き内装パネルであって、
上記スピーカグリル部のパネル基材には、複数個の透音小形孔がパネル基材裏面に貫通するように、かつ隣接する透音小形孔との間に間隔をあけて全体に亘って分布するように形成され、
上記スピーカグリル部を除く領域のパネル基材には、上記透音小形孔と同じ形状の複数個の小形凹部が透音小形孔と同じ配列パターンで形成されていることを特徴とするスピーカグリル部付き内装パネル。
【請求項４】
請求項３に記載のスピーカグリル部付き内装パネルにおいて、
表皮材は、スピーカグリル部の透音小形孔に対応するように形成された小形孔を有する両面接着シートを介してパネル基材表面に貼着され、
複数個の小形凹部のうち一部の小形凹部には、通気細孔がパネル基材裏面に貫通するように形成され、他の小形凹部は、上記通気細孔を有する小形凹部、及び透音小形孔の少なくとも一方に連絡溝部で連通するように連結されていることを特徴とするスピーカグリル部付き内装パネル。
【発明の詳細な説明】
【技術分野】
【０００１】
この発明は、スピーカグリル部付き内装パネルの改良に関し、特に外観見栄え向上対策に関するものである。
【背景技術】
【０００２】
特許文献１には、複数個の透音孔を有するパネル基材表面に表皮材が貼着されたスピーカグリルをドアトリム本体に嵌着したタイプのスピーカグリル付き内装パネルが開示されている。
【０００３】
一方、スピーカグリルが特許文献１の如きドアトリム本体と独立した別物ではなく、パネル基材の一部に複数の透音孔を貫通形成してスピーカグリル部をパネル基材に一体に形成したタイプのスピーカグリル部付き内装パネルもある。
【特許文献１】特開平９−５１５９４号公報（段落０００７欄、図３）
【発明の開示】
【発明が解決しようとする課題】
【０００４】
上記後者の内装パネルでは、表皮材をパネル基材表面にスピーカグリル部を覆うように貼着すると、スピーカグリル部の透音孔間のパネル基材や、スピーカグリル部を除く領域のパネル基材では、表皮材が隙間なくピッタリとパネル基材に貼着されるが、スピーカグリルの透音孔では表皮材は貼着される対象がないため、表皮材の貼着箇所と非貼着箇所との境界が内装パネルの表側からはっきりと判ってしまい、透音孔形成箇所、つまりスピーカグリル部形成箇所が目立って内装パネルの外観見栄えが悪くなる。
【０００５】
この発明はかかる点に鑑みてなされたものであり、その目的とするところは、スピーカグリル部形成箇所を目立たなくして、外観見栄えの良い内装パネルを提供することである。
【課題を解決するための手段】
【０００６】
上記の目的を達成するため、この発明は、スピーカグリル部を除く領域のパネル基材にダミーの透音孔を形成して、真の透音孔と判別できないようにしたことを特徴とする。
【０００７】
具体的には、この発明は、スピーカグリル部がパネル基材に一体に形成され、該パネル基材表面に表皮材が上記スピーカグリル部を覆うように貼着されたスピーカグリル部付き内装パネルを前提とし、次のような解決手段を講じた。
【０００８】
すなわち、請求項１に記載の発明は、上記スピーカグリル部のパネル基材には、複数個の細長い透音長孔がパネル基材裏面に貫通するように、かつスピーカグリル部を横切るように並列に形成され、上記スピーカグリル部を除く領域のパネル基材には、上記透音長孔に連続する複数個の細長い連続長溝部、及び上記透音長孔と不連続な複数個の細長い不連続長溝部が並列に形成されていることを特徴とする。
【０００９】
請求項２に記載の発明は、請求項１に記載の発明において、表皮材は、スピーカグリル部の透音長孔に対応するように形成された長孔を有する両面接着シートを介してパネル基材表面に貼着され、不連続長溝部の底面には、通気細孔がパネル基材裏面に貫通するように形成されていることを特徴とする。
【００１０】
請求項３に記載の発明は、上記の前提において、上記スピーカグリル部のパネル基材には、複数個の透音小形孔がパネル基材裏面に貫通するように、かつ隣接する透音小形孔との間に間隔をあけて全体に亘って分布するように形成され、上記スピーカグリル部を除く領域のパネル基材には、上記透音小形孔と同じ形状の複数個の小形凹部が透音小形孔と同じ配列パターンで形成されていることを特徴とする。
【００１１】
請求項４に記載の発明は、請求項３に記載の発明において、表皮材は、スピーカグリル部の透音小形孔に対応するように形成された小形孔を有する両面接着シートを介してパネル基材表面に貼着され、複数個の小形凹部のうち一部の小形凹部には、通気細孔がパネル基材裏面に貫通するように形成され、他の小形凹部は、上記通気細孔を有する小形凹部、及び透音小形孔の少なくとも一方に連絡溝部で連通するように連結されていることを特徴とする。
【発明の効果】
【００１２】
請求項１に係る発明によれば、スピーカグリル部を除く領域の連続長溝部がスピーカグリル部の透音長孔に連続し、かつ該連続長溝部及び不連続長溝部が上記スピーカグリル部を除く領域のパネル基材に並列に形成されているため、表皮材を貼着した後は、スピーカグリル部の内外で表皮材の表面性状に変化がなくて両者の境界が判別できず、上記連続長溝部及び不連続長溝部がダミーの透音長孔となって表皮材の表面に透音長孔形成箇所、つまりスピーカグリル部形成箇所が目立たず、外観見栄えの良いスピーカグリル部付き内装パネルとなる。
【００１３】
また、上記連続長溝部及び不連続長溝部はその名の通り貫通孔ではなく有底であるため、スピーカグリル部を除く領域のパネル基材に連続長溝部及び不連続長溝部を複数個形成しても、剛性低下を来さない。
【００１４】
請求項２に係る発明によれば、透音長孔と連続していない不連続長溝部内は、通気細孔を介してパネル基材外部に開放されているため、室内の温度が上昇しても、上記不連続長溝部内で膨張した空気が上記通気細孔からパネル基材外部に排出されて不連続長溝部内に閉じ込められず、当該箇所の表皮材が膨張空気により膨らむ事態が回避されて外観を損なわない。なお、連続長溝部内は、透音長孔を介してパネル基材外部に開放されているため、室内の温度が上昇して上記連続長溝部内で空気が膨張しても、上記不連続長溝部と同様に表皮材が膨張空気により膨らむ事態が回避されて外観を損なわない。
【００１５】
また、表皮材をパネル基材表面に貼着する手段として両面接着シートを採用しているため、接着剤を塗布する場合に比べて揮発性有機化合物（ＶＯＣ）の飛散がなく、シックハウス症候群や化学物質過敏症等の健康障害が防止される。
【００１６】
さらに、上記両面接着シートの長孔が透音長孔に対応しているため、透音性が阻害されない。
【００１７】
請求項３に係る発明によれば、スピーカグリル部の透音小形孔とスピーカグリル部を除く領域の小形凹部とが、同じ配列パターンでパネル基材全体に亘って分布しているため、表皮材を貼着した後は、スピーカグリル部の内外で表皮材の表面性状に変化がなくて両者の境界が判別できず、上記小形凹部がダミーの透音小形孔となって表皮材の表面に透音小形孔形成箇所、つまりスピーカグリル部形成箇所が目立たず、外観見栄えの良いスピーカグリル部付き内装パネルとなる。
【００１８】
また、上記小形凹部はその名の通り貫通孔ではなく有底であるため、スピーカグリル部を除く領域のパネル基材に小形凹部を複数個形成しても、剛性低下を来さないことに関しては、上記請求項１と同様である。
【００１９】
請求項４に係る発明によれば、通気細孔を有する小形凹部内は、通気細孔を介してパネル基材外部に開放され、かつ通気細孔を有しない小形凹部内は、連結溝部を経て上記通気細孔を有する小形凹部、及び透音小形孔の少なくとも一方を介してパネル基材外部に開放されているため、室内の温度が上昇しても、上記小形凹部内で膨張した空気が上記通気細孔や透音小形孔からパネル基材外部に排出されて小形凹部内に閉じ込められず、当該箇所の表皮材が膨張空気により膨らむ事態が回避されて外観を損なわない。
【００２０】
また、表皮材をパネル基材表面に貼着する手段として両面接着シートを採用しているため、接着剤を塗布する場合に比べて揮発性有機化合物（ＶＯＣ）の飛散がなく、シックハウス症候群や化学物質過敏症等の健康障害が防止されることに関しては、上記請求項２と同様である。
【００２１】
さらに、上記両面接着シートの小形孔が透音小形孔に対応しているため、透音性が阻害されないことに関しても、上記請求項２と同様である。
【発明を実施するための最良の形態】
【００２２】
以下、この発明の実施形態について図面に基づいて説明する。
【００２３】
（実施形態１）
図３はこの発明の実施形態１に係るスピーカグリル部付き内装パネル１を示す。本例では、内装パネル１が例えば自動車のインストルメントパネルのアッパパネルである場合を例示するが、これに限らず、特許文献１のようなドアトリムやその他の内装パネルにも適用することができる。
【００２４】
上記内装パネル１は、図１及び図４に示すように、樹脂製パネル基材３表面に布製表皮材５を両面接着シート７を介して貼着して構成されている。上記パネル基材３のほぼ中央には、楕円形のスピーカグリル部９が一体に形成され、該スピーカグリル部９は上記表皮材５で覆われている。
【００２５】
上記スピーカグリル部９のパネル基材３には、複数個の細長い直線形の透音長孔１１がパネル基材３裏面に貫通するように、かつスピーカグリル部９を図４で左右方向に横切るように並列に形成されている。なお、透音長孔１１は直線形に限らず、例えば波形に蛇行した形状等であってもよい。
【００２６】
上記スピーカグリル部９を除く領域のパネル基材３には、図２にも示すように、上記透音長孔１１に連続する複数個の細長い直線形の連続長溝部１３が図４で左右方向に延びるように並列に形成され、上記透音長孔１１と連続長溝部１３とが一直線に並んでいる。図２に連続長溝部１３の底面に符号１３ａを付して示す。この連続長溝部１３も直線形に限らず、例えば波形に蛇行した形状等、上記透音長孔１１と同じ形状にすればよい。
【００２７】
上記スピーカグリル部９を除く領域のパネル基材３には、上記透音長孔１１と不連続な複数個の細長い直線形の不連続長溝部１５が上記連続長溝部１３と並列に形成され、該不連続長溝部１５の底面１５ａには、通気細孔１７がパネル基材３裏面に貫通するように形成されている（図１及び図２参照）。この不連続長溝部１５も直線形に限らず、例えば波形に蛇行した形状等、上記透音長孔１１に連続長溝部１３と同じ形状にすればよい。図４中、１９はパネル基材３の外周裏面に突設された複数個の取付部である。
【００２８】
上記表皮材５は、上記パネル基材３と概略同じ形状に形成され、その外周部分には、パネル基材３裏面側に折り返した際に、上記取付部１９との干渉を避けるための切欠部５ａが複数箇所に切欠き形成されている。また、表皮材５の外周部分のうち湾曲した外周部分（図４で上側）には、パネル基材３裏面側に折り返し易いように切込み部５ｂが適数箇所に切込み形成されている。
【００２９】
上記両面接着シート７は、上記表皮材５と同様に、パネル基材３と概略同じ形状に形成され、その外周部分には、パネル基材３裏面側に折り返した際に、上記取付部１９との干渉を避けるための切欠部７ａが上記表皮材５の切欠部５ａに対応するように複数箇所に切欠き形成されている。また、両面接着シート７の外周部分のうち湾曲した外周部分（図４で上側）には、パネル基材３裏面側に折り返し易いように切込み部７ｂが上記表皮材５の切込み部５ｂに対応するように適数箇所に切込み形成されている。さらに、上記両面接着シート７のほぼ中央には、複数個の細長い直線形の長孔７ｃが上記パネル基材３のスピーカグリル部９の透音長孔１１に対応するように形成されている。
【００３０】
そして、上記パネル基材３、両面接着シート７及び表皮材５の順にこれら三者を重合するとともに、表皮材５及び両面接着シート７の外周部分をパネル基材３裏面側に折り返し、該折返し部分の適数箇所をタッカ止めすることで、パネル基材３表面に表皮材５が両面接着シート７を介して貼着され、スピーカグリル部９が表皮材５で覆われたスピーカグリル部付き内装パネル１が得られる。図３に一点鎖線でスピーカグリル部９の形成領域を示す。
【００３１】
このように、この実施形態１では、スピーカグリル部９のパネル基材３に形成した透音長孔１１に、上記スピーカグリル部９を除く領域のパネル基材３に形成した連続長溝部１３を連続させるとともに、上記透音長孔１１と連続していない不連続長溝部１５を上記スピーカグリル部９を除く領域のパネル基材３に形成している。したがって、表皮材５を貼着した完成品である内装パネル１を表側から見ても、スピーカグリル部９の内外で表皮材５の表面性状に変化がなくて両者の境界が判別できず、上記連続長溝部１３及び不連続長溝部１５がダミーの透音長孔１１となって表皮材５の表面に透音長孔１１形成箇所、つまりスピーカグリル部９形成箇所が目立たず、スピーカグリル部付き内装パネル１の外観見栄えを向上させることができる。
【００３２】
また、この実施形態１では、スピーカグリル部９を除く領域のパネル基材３に貫通孔ではなく有底の連続長溝部１３及び不連続長溝部１５を形成しているので、各々の底面１３ａ，１５ａにより剛性を確保することができる。
【００３３】
さらに、この実施形態１では、透音長孔１１と連続していない不連続長溝部１５の底面１５ａに通気細孔１７をパネル基材３裏面側に貫通するように形成して、上記不連続長溝部１５内を上記通気細孔１７を介してパネル基材３外部に開放している。したがって、上記不連続長溝部１５内で膨張した空気を該不連続長溝部１５内に閉じ込めないように上記通気細孔１７からパネル基材３外部に排出することができ、当該箇所の表皮材５が室内の温度上昇による膨張空気により膨らむ事態を回避して外観を損なわないようにすることができる。なお、透音長孔１１に連続する連続長溝部１３内は、透音長孔１１を介してパネル基材３外部に開放しているので、室内の温度が上昇して上記連続長溝部１３内で空気が膨張しても、上記不連続長溝部１５と同様に表皮材５が膨張空気により膨らむ事態が回避されて外観を損なわない。
【００３４】
さらにまた、この実施形態１では、表皮材５を接着剤の塗布ではなく、両面接着シート７を介してパネル基材３表面に貼着しているので、接着剤を塗布する場合の揮発性有機化合物（ＶＯＣ）の飛散がなく、シックハウス症候群や化学物質過敏症等の健康障害を防止することができる。
【００３５】
加えて、この実施形態１では、両面接着シート７の長孔７ｃをスピーカグリル部９の透音長孔１１に対応させて、該透音長孔１１を両面接着シート７で覆わないようにしているので、透音性を阻害しないようにすることができる。
【００３６】
（実施形態２）
図５及び図６は実施形態２に係るスピーカグリル部付き内装パネル１を示す。
【００３７】
この内装パネル１も、上記実施形態１と同様に、樹脂製パネル基材３表面に布製表皮材５を両面接着シート７を介して貼着して構成されたインストルメントパネルのアッパパネルを例示する。上記パネル基材３のほぼ中央には、楕円形のスピーカグリル部９が一体に形成され、該スピーカグリル部９は上記表皮材５で覆われている。
【００３８】
上記スピーカグリル部９のパネル基材３には、複数個の円形の透音小形孔２１がパネル基材３裏面に貫通するように、かつ隣接する透音小形孔２１との間に間隔をあけて全体に亘って分布するように形成されている。なお、透音小形孔２１は円形に限らず、例えば矩形の形状等であってもよい。
【００３９】
上記スピーカグリル部９を除く領域のパネル基材３には、上記透音小形孔２１と同じ形状の複数個の小形凹部２３が透音小形孔２１と同じ配列パターンで形成されている。小形凹部２３の底面に符号２３ａを付して示す。
【００４０】
上記複数個の小形凹部２３のうち一部の小形凹部２３の底面２３ａには、通気細孔１７がパネル基材３裏面に貫通するように形成され、他の小形凹部２３の底面２３ａには、通気細孔１７が形成されておらず、当該小形凹部２３は、上記通気細孔１７を有する小形凹部２３、及び透音小形孔２１の少なくとも一方にＶ字状の連絡溝部２５で連通するように連結されている。具体的には、通気細孔１７を有しない小形凹部２３は、通気細孔１７を有する小形凹部２３や透音小形孔２１に連絡溝部２５で連結されたり、あるいは同じく通気細孔１７を有しない隣接する小形凹部２３と連絡溝部２５で連結されて通気細孔１７を有する小形凹部２３や透音小形孔２１に連結されている。
【００４１】
上記表皮材５は、実施形態１で用いたものと同じく、パネル基材３と概略同じ形状に形成され、その外周部分に切欠部５ａや切込み部５ｂが形成されている。
【００４２】
上記両面接着シート７も、実施形態１と同様に、パネル基材３と概略同じ形状に形成され、その外周部分に切欠部７ａや切込み部７ｂが表皮材５の切欠部５ａや切込み部５ｂに対応するように形成されている。また、上記両面接着シート７のほぼ中央には、複数個の円形の小形孔７ｄが上記パネル基材３のスピーカグリル部９の透音小形孔２１に対応するように形成されている。
【００４３】
そして、上記パネル基材３、両面接着シート７及び表皮材５の順にこれら三者を重合するとともに、表皮材５及び両面接着シート７の外周部分をパネル基材３裏面側に折り返し、該折返し部分の適数箇所をタッカ止めすることで、パネル基材３表面に表皮材５が両面接着シート７を介して貼着され、スピーカグリル部９が表皮材５で覆われたスピーカグリル部付き内装パネル１が得られる。
【００４４】
このように、この実施形態２では、スピーカグリル部９の透音小形孔２１とスピーカグリル部９を除く領域の小形凹部２３とを、同じ配列パターンでパネル基材３全体に亘って分布させている。したがって、表皮材５を貼着した完成品である内装パネル１を表側から見ても、スピーカグリル部９の内外で表皮材５の表面性状に変化がなくて両者の境界が判別できず、上記小形凹部２３がダミーの透音小形孔２１となって表皮材５の表面に透音小形孔２１形成箇所、つまりスピーカグリル部９形成箇所が目立たず、スピーカグリル部付き内装パネル１の外観見栄えを向上させることができる。
【００４５】
また、この実施形態２では、スピーカグリル部９を除く領域のパネル基材３に貫通孔ではなく有底の小形凹部２３を形成しているので、実施形態１と同様に、その底面２３ａにより剛性を確保することができる。
【００４６】
さらに、この実施形態２では、複数個の小形凹部２３のうち一部の小形凹部２３に通気細孔１７を、パネル基材３裏面に貫通するように形成して、当該小形凹部２３内を通気細孔１７を介してパネル基材３外部に開放し、かつ通気細孔１７を有しない他の小形凹部２３を、上記通気細孔１７を有する小形凹部２３、及び透音小形孔２１の少なくとも一方に連絡溝部２５で連通させている。したがって、室内の温度が上昇しても、上記小形凹部２３内で膨張した空気を該小形凹部２３内に閉じ込めないように上記通気細孔１７や透音小形孔２１からパネル基材３外部に排出することができ、当該箇所の表皮材５が膨張空気により膨らむ事態を回避して外観を損なわないようにすることができる。また、一部の小形凹部２３にのみ通気細孔１７を形成し、全ての小形凹部２３に通気細孔１７を形成していないので、その分だけ型構造を簡素にすることができる。
【００４７】
さらにまた、この実施形態２では、表皮材５を接着剤の塗布ではなく、両面接着シート７を介してパネル基材３表面に貼着しているので、実施形態１と同様に、接着剤を塗布する場合の揮発性有機化合物（ＶＯＣ）の飛散がなく、シックハウス症候群や化学物質過敏症等の健康障害を防止することができる。
【００４８】
加えて、この実施形態１では、両面接着シート７の小形孔７ｄをスピーカグリル部９の透音小形孔２１に対応させて、該透音小形孔２１を両面接着シート７で覆わないようにしているので、実施形態１と同様に、透音性を阻害しないようにすることができる。
【産業上の利用可能性】
【００４９】
この発明は、スピーカグリル部がパネル基材に一体に形成され、該パネル基材表面に表皮材が上記スピーカグリル部を覆うように貼着されたスピーカグリル部付き内装パネルについて有用である。
【図面の簡単な説明】
【００５０】
【図１】実施形態１に係るスピーカグリル部付き内装パネルにおいてスピーカグリル部とその周辺部分の断面図である。
【図２】実施形態１においてパネル基材のスピーカグリル部とその周辺部分を破断して示す斜視図である。
【図３】実施形態１に係るスピーカグリル部付き内装パネルの斜視図である。
【図４】実施形態１に係るスピーカグリル部付き内装パネルの分解斜視図である。
【図５】実施形態２の図１相当図である。
【図６】実施形態２の図２相当図である。
【符号の説明】
【００５１】
１      内装パネル
３      パネル基材
５      表皮材
７      両面接着シート
７ｃ    長孔
７ｄ    小形孔
９      スピーカグリル部
１１    透音長孔
１３    連続長溝部
１５    不連続長溝部
１５ａ  底面
１７    通気細孔
２１    透音小形孔
２３    小形凹部
２３ａ  底面
２５    連絡溝部
【図１】
2009073442.tif 000003
【図２】
2009073442.tif 000004
【図３】
2009073442.tif 000005
【図４】
2009073442.tif 000006
【図５】
2009073442.tif 000007
【図６】
2009073442.tif 000008